(57)【要約】      （修正有）【課題】空気充填部を構成する内皮又は外皮の縫製部分が保護材により補強されているので、伸縮を繰り返すことにより該当部分が破損し難く、また、破損した場合にも空気が漏れることなく使用できるとともに、過膨張を防ぐことができるので、急浮上やダイバーへの圧迫等を防止することができる潜水着を提供する。【解決手段】なくとも胸部が内皮２ｂ及び外皮２ａからなる二重層に形成され、内皮及び外皮の間に形設された空気充填部２ｃと、空気充填部と連通し外皮に配設された給排気部と、を有した浮力調整部２を備える潜水着１であって、内皮又は外皮の外周面又は内周面の少なくとも縫製部分に覆設された非通気性の保護材７を備えている構成を有している。【選択図】図２
0003183652.tif 000002
【実用新案登録請求の範囲】
【請求項１】
少なくとも胸部が内皮及び外皮からなる二重層に形成され、前記内皮及び前記外皮の間に形設された空気充填部と、前記空気充填部と連通し前記外皮に配設された給排気部と、を有した浮力調整部を備える潜水着であって、
前記内皮又は前記外皮の外周面又は内周面の少なくとも縫製部分に覆設された非通気性の保護材を備えていることを特徴とする潜水着。
【請求項２】
少なくとも前記内皮又は前記外皮の一方が、前記浮力調整部の過膨張を防止する過膨張防止部を備えていることを特徴とする請求項１に記載の潜水着。
【請求項３】
前記浮力調整部が、前記潜水着のわき腹部から腹部，胸部，肩，背中を通って腰部に亘って連続して中空状に形成され、且つ、前記外皮が、前記潜水着の本体と一体形成され、前記外皮の内周面に覆設された前記保護材を備えていることを特徴とする請求項１又は２に記載の潜水着。
【考案の詳細な説明】
【技術分野】
【０００１】
本考案は、安全性及び使用性に優れる潜水着に関する。
【背景技術】
【０００２】
潜水着には、ウェットスーツとドライスーツがあり、ウェットスーツ自体には浮力調整機能が無く、潜水中の中性浮力を維持するために、浮力調整装置（以下、ＢＣＤと記す）に空気を給排気することで浮力調整を行っていた。また、ドライスーツは、下着を着用するため、スーツ内に水が入らない構造となっており、水圧によってスーツスクイズが発生しないよう、スーツ内に空気を給排気することできる。しかし、ドライスーツの場合、スーツ全体に空気が充填されるため、バランスが取り難く、浮力の調整にはＢＣＤが用いられている。
そのため、ダイバーは、どちらのスーツを着用する場合も空気タンクの他にＢＣＤを着用しており、特に潜水後はＢＣＤが水を吸うので、体力のない高齢者や女性，子供等にとってその重量負担が大きかった。
これらの課題を解決するために、本発明者らは鋭意研究した結果、「潜水着の少なくとも胸部が内皮及び外皮からなる二重層に形成され、前記内皮及び前記外皮の間に形設された空気充填部と、前記外皮の下部側に前記空気充填部と連通して配設され前記空気充填部に空気を供給する給気バルブと、前記外皮の上部側に前記空気充填部と連通して配設され前記空気充填部の空気を排出する排気バルブと、を有する浮力調整部を備えることを特徴とする潜水着」を（特許文献１）として出願した。
【先行技術文献】
【特許文献】
【０００３】
【特許文献１】実願２０１２−７８９６号
【考案の開示】
【考案が解決しようとする課題】
【０００４】
しかしながら上記従来の技術においては、以下のような課題を有していた。
（１）（特許文献１）に開示の技術は、ＢＣＤを利用することなく容易に水面及び潜水中の浮力調整を行うことができ利便性に優れるが、潜水着の縫製部分等は膨張や伸縮により破損し易いと考えられ、破損により浮力の調整ができなくなる可能性があり、対策が望まれていた。
【０００５】
本考案は上記従来の要望を充たすもので、空気充填部を構成する内皮又は外皮の縫製部分が保護材により補強されているので、伸縮を繰り返すことにより該当部分が破損し難く、また、縫製部分が破損した場合にも空気が漏れることなく使用できるとともに、過膨張を防ぐことができるので、急浮上の危険性を回避できるとともに、ダイバーが圧迫感や不快感等を感じ難く、使用性に優れる潜水着を提供することを目的とする。
【課題を解決するための手段及びそれによって得られる作用、効果】
【０００６】
上記従来の課題を解決するために、本考案の潜水着は、以下の構成を有している。
本考案の請求項１に記載の潜水着は、少なくとも胸部が内皮及び外皮からなる二重層に形成され、前記内皮及び前記外皮の間に形設された空気充填部と、前記空気充填部と連通し外皮に配設された給排気部と、を有した浮力調整部を備える潜水着であって、
前記内皮又は前記外皮の外周面又は内周面の少なくとも縫製部分に覆設された非通気性の保護材を備えている構成を有している。
この構成により、以下のような作用、効果を有する。
（１）内皮又は外皮の縫製部分に非通気性の保護材が覆設されているので、浮力の調整により内皮や外皮が伸縮を繰返し、縫製部分が破損した場合も、空気充填部から浮力調整部の外部に空気が漏れることを防ぐことができ、製品の信頼性に優れる。
（２）少なくとも縫製部分に保護材が覆設されているので、保護材として覆設する内皮又は外皮よりも伸縮性が無いものを用いた場合、構造的に弱い内皮又は外皮の縫製部分必要以上に伸縮することを抑えることができ、内皮又は外皮の破損を防ぐことができる。
【０００７】
ここで、浮力調整部を備える潜水着としては、ウェットスーツとドライスーツのどちらでも良い。また、潜水着の形態としては、ワンピースタイプでもツーピースタイプでも良く、ファスナーの位置も前面と背面どちらでも良い。また、袖の長さや股下の長さ等も特に限定されない。ツーピースタイプのジャケットに浮力調整部が形設される場合、ジャケットだけが浮き上がらないよう、ジャケットに股掛けを備えることが好ましい。
【０００８】
浮力調整部は、潜水着の少なくとも胸部が内皮と外皮からなる二重層構造になっており、二重層構造の内部に空気を貯留することができる空気充填部が形成された構成となっている。
浮力調整において中性浮力を得る際、潜水着の背面に空気を貯留できるようにし、上半身の特に腰から上部が持ち上がるようにすることが好ましい。これにより、水中でのバランスが取り易くなり、水中で水平方向に姿勢を保ち易く、水の抵抗をうけ難くすることができる。
そのため、本考案における浮力調整部は、潜水着の胸部から腹部，わき腹部，腰部に亘って形成される、若しくは、胸部から腹部，わき腹部，腰部，背中，肩に亘って形成されても良い。また、これらの位置に加え、背中の全面や首周り、腕周りに亘って形成されても良い。これにより、空気を浮力調整部内で分散して保持することができるので、水中でのバランスや水平姿勢を保ち易くなるとともに、浮力調整部が膨らむことでダイバーにかかる負荷も分散され、圧迫感や不快感等を感じ難くすることができる。
浮力調整部によって得られる浮力は、ＢＣＤで設定される最大浮力と同程度の浮力が得られることが好ましいが、少なくとも水面に浮く際に、ダイバーの顔面が水面上に出る程度の浮力があれば良い。
【０００９】
浮力調整部を設ける方法としては、内皮と外皮の間に空気充填部を形成することができれば良く、例えば、潜水着本体における浮力調整部の形成位置の内側又は外側に潜水着用の接着剤等を用いて、内皮又は外皮となる生地の外周を張り付け，二重層構造を形成する方法、又は、空気充填部を袋状に形成した空気袋を準備し，内皮又は外皮の一部を着脱自在に形設した空気袋保持部に該空気袋を保持させる方法、前述の空気袋を接着剤や面ファスナー等で内皮又は外皮に接合させる方法等が用いられる。
空気袋を備える場合、空気を貯留することができれば、素材等は特に限定されず、ポリ塩化ビニルやポリエチレン、ポリウレタン、ポリプロピレン，ナイロン等の素材を用いることができる。空気袋の素材が伸縮性を備えない素材の場合、蛇腹状に襞を形成することで膨縮させることができる。また、空気袋は、潜水着のファスナーの位置や有無等によって任意の形状に成形される。
【００１０】
内皮又は外皮に用いられる生地は、特に限定されず、潜水着に一般的に用いられるような生地の他、非通気性及びある程度の伸縮性を有するポリ塩化ビニルやポリエチレン、ポリウレタン、ポリプロピレン，ナイロン等の高分子素材や天然ゴム、エチレンプロピレンゴム，シリコンゴム等の非ジエン系の合成ゴム等を用いても良い。また、内皮と外皮は同じ生地を用いても良いし、異なる生地を用いても良い。
内皮又は外皮は、生地１層で形成されていても良いし、生地を複数層重ねて形成されていても良い。
【００１１】
保護材に用いられる素材は、非通気性の素材であれば特に限定されない。例えば、潜水着に一般的に用いられる素材等の他、ポリ塩化ビニルやポリエチレン、ポリウレタン、ポリプロピレン，ナイロン等の高分子素材や天然ゴム、エチレンプロピレンゴム，シリコンゴム等の非ジエン系の合成ゴム等を用いることができる。
また、保護材の素材が、保護材によって覆設される内皮又は外皮の素材と比べて伸縮性が小さい場合、構造的に弱い内皮又は外皮の縫製部分必要以上に伸縮することを抑え、縫製部分にかかる負荷を軽減することができ、内皮又は外皮の破損を防ぐことができる。
【００１２】
保護材は、浮力調整部を形成する内皮又は外皮の内、少なくとも潜水着本体の縫製部分の外周面又は内周面に覆設されていれば良い。
潜水着の縫製部分は、潜水着のデザイン等によって異なるため、潜水着本体を外皮とする場合、外皮全面に保護材を覆設しても良く、保護材を覆設する場所は、潜水着によって適宜選択すれば良い。
保護材の覆設方法としては、接着剤等による接着や熱圧着，超音波溶着等の方法を用いることができる。
【００１３】
浮力調整部に配設される給排気部としては、空気充填部に空気を給排気できればどのようなものでも良く、排気バルブや給気バルブを各々備えても良いし、給排気の両方が行えるダイビングインフレーターでも良い。また、ダイバー自身の口から給気可能なオーラルインフレーター（給排気可能なチューブ）を備えても良い。給排気部として、これらを単独で備えても良いし、複数を組み合わせて備えても良い。給排気部の設置場所やバルブ等の個数は、適宜選択される。
ここで、ダイビングインフレーターとは、給気（口からの吹込みを含む）及び排気の両方を行うことができるものであり、ＢＣＤに用いられているダイビングインフレーターと同様のものを用いることができる。
給排気部が、内圧を自動調整できない場合、外皮にオーバープレッシャーリリーフバルブ（過剰な圧力を開放する弁）を設けることが好ましい。該バルブは、空気充填部に連通し浮力調整部の上部側に配設されていれば、特に設置位置は限定されない。
【００１４】
請求項２に記載の考案は、請求項１に記載の潜水着であって、少なくとも前記内皮又は前記外皮の一方が、前記浮力調整部の過膨張を防止する過膨張防止部を備える構成を有している。
この構成により、請求項１の作用、効果に加え、以下のような作用、効果を有する。
（１）浮力調整部が過膨張防止部を備えるので、浮力調整部の過膨張を抑えることができ、浮力調整部の内圧の調整が自動で行えない場合も、浮力調整部の過膨張による急激な浮力の上昇や、空気充填部の体積が増すことによりダイバーに圧力（負荷）がかかること等を防ぐことができ、安全性に優れる。
（２）過膨張防止部により、浮力調整部の過膨張を抑えることができるので、過膨張防止部を備える内皮又は外皮が極端に伸びることを防ぎ、内皮又は外皮を破損し難くすることができる。
【００１５】
過膨張防止部としては、浮力調整部の過膨張を抑える構成であれば特に限定されず、例えば、空気充填部内において繊維や生地等の一端を外皮に，他端を内皮に接合し，外皮と内皮を吊ることによって膨張を抑えても良いし、また、内皮又は外皮に伸縮性の小さい生地や繊維等を縫製，接着等し内皮や外皮の膨張を抑えても良い。
【００１６】
請求項３に記載の考案は、請求項１又は２に記載の潜水着であって、前記浮力調整部が、前記潜水着のわき腹部から腹部，胸部，肩，背中を通って腰部に亘って連続して中空状に形成され、且つ、前記外皮が、前記潜水着の本体と一体形成され、前記外皮の内周面に覆設された前記保護材を備えている構成を有している。
この構成により、請求項１又は２の作用、効果に加え、以下のような作用、効果を有する。
（１）浮力調整部が、潜水着のわき腹部から腹部，胸部，肩，背中を通って腰部に亘って連続して形成されているので、浮力調整部の内部に貯留される空気が分散され、水中でバランスや姿勢を保ち易く、使用性に優れるとともに、浮力調整部が膨張することによってダイバーにかかる負荷も分散され、圧迫感や不快感等を感じ難くすることができる。
（２）外皮が潜水着の本体と一体形成されているので、浮力調整部を形成するための材料を少なくすることができ、生産性に優れるとともに、浮力調整部を備えない潜水着に対しても、保護材及び内皮を配設するだけで浮力調整部を備えた潜水着を容易に製造することができる。
（３）保護材が外皮の内周面の全面に覆設されているので、製造時に潜水着のデザインによって異なる縫製部分に合わせ、該縫製部分のみに保護材を覆設する場合よりも保護材の覆設を容易に行うことができ、生産性に優れるとともに、外皮の縫製部分から保護材がずれ難いので、歩留まり良く製造することができる。
【図面の簡単な説明】
【００１７】
【図１】（ａ）実施の形態１の潜水着の正面斜視図（ｂ）実施の形態１の潜水着の背面斜視図
【図２】（ａ）実施の形態１の潜水着の空気貯留前の要部断面図（ｂ）実施の形態１の潜水着の空気貯留後の要部断面図
【図３】（ａ）実施の形態１の潜水着に覆設する前の保護材の平面図（ｂ）実施の形態１の潜水着に接着する前の内皮の平面図
【考案を実施するための形態】
【００１８】
以下、本考案を実施するための最良の形態を、図面を参照しながら説明する。尚、本考案はこの実施の形態に限定されるものではない。
（実施の形態１）
図１（ａ）は実施の形態１の潜水着の正面斜視図であり、図１（ｂ）は実施の形態１の潜水着の背面斜視図であり、図２（ａ）は実施の形態１の潜水着の空気貯留前の要部断面図であり、図２（ｂ）は実施の形態１の潜水着の空気貯留後の要部断面図であり、図３（ａ）は実施の形態１の潜水着に覆設する前の保護材の平面図であり、図３（ｂ）は実施の形態１の潜水着に接着する前の内皮の平面図である。
図１中、１は実施の形態１の潜水着、２は潜水着１の内側にわき腹部から腹部，胸部，肩，背中を通って腰部に亘って連続して中空状に形成された浮力調整部、２ａは潜水着１本体によって形成された浮力調整部２の外皮、３は潜水着１の左わき腹部の正面側に配設され，空気タンク（図示しない）の中圧ホース（図示しない）と接続され，浮力調整部２に空気を送るための給気バルブ、４は潜水着１の正面右肩部に配設され，排気弁と接続された紐部４ａを有し，浮力調整部２内の空気を排出するためのプル式の排気バルブ、５は潜水着１の背面に配設されたファスナー、６は潜水着１の右わき腹部の背面側（腰部の上部側）に配設され，排気弁と接続された第２紐部６ａを有し，浮力調整部２内の空気を排出するためのプル式の第２排気バルブである。
図２中、２ｂは潜水着１の外皮２ａの内側にわき腹部から腹部，胸部，肩，背中を通って腰部に亘って覆設された後述する保護材７と外周部を接着して形成された浮力調整部２の内皮、２ｃは潜水着１の外皮２ａ及び内皮２ｂの二重層に形成され，外皮２ａ及び内皮２ｂの間に形設された空気充填部、７は外皮２ａに比べ伸縮性が無く，非通気性の生地で形成され，外皮２ａの内周面に接着され覆設された保護材、８は空気充填部２ｃの正面側及び背面側において短冊状の吊り具８ａの一端を保護材７の内周面，他端を内皮２ｂの内周面に接着して形成された過膨張防止部、８ｂは内皮２ｂ及び外皮２ａに接合された吊り具８ａの接合部、８ｃは保護材７と接合する吊り具８ａの吊り具端部である。
図３中、７ａは保護材７において浮力調整部２の給気バルブ３と対応する位置に形成された第１開口部、７ｂは保護材７において浮力調整部２の排気バルブ４と対応する位置に形成された第２開口部、７ｃは保護材７において浮力調整部２の第２排気バルブ６と対応する位置に形成された第３開口部、７ｄは外皮２ａにおいて吊り具８ａの端部が接合される吊り具接合部である。
【００１９】
ここで、浮力調整部２は、図１中の波線部に形成されているが、少なくとも潜水着１の胸部に形成されていれば良く、潜水着１の胸部から腹部，わき腹部，腰部に亘って形成される、若しくは、胸部から腹部，わき腹部，腰部，肩，背中に亘って形成されても良い。また、これらの位置に加え、ファスナー５の位置等によっては、背中の全面や首周り、腕周りに亘って形成されても良い。そのため、内皮２ｂや保護材７の形状は、浮力調整部２の形状により適宜選択される。
浮力調整部２によって得られる浮力は、ＢＣＤで設定される最大浮力と同程度の浮力が得られることが好ましいが、少なくとも水面に浮く際に、ダイバーの顔面が水面上に出る程度の浮力があれば良い。
浮力調整部２は、空気を給排気することで浮力調整ができれば良いので、外皮２ａ及び内皮２ｂに保持させた空気袋を空気充填部２ｃとしても良い。
【００２０】
本実施の形態において、外皮２ａは潜水着１本体で構成されているため、潜水着に用いられる一般的な生地が用いられている。また、内皮２ｂの生地は、特に限定されず、潜水着に一般的に用いられるような生地の他、非通気性とある程度の伸縮性を有するポリ塩化ビニルやポリエチレン、ポリウレタン、ポリプロピレン，ナイロン等の高分子素材や天然ゴム、エチレンプロピレンゴム，シリコンゴム等の非ジエン系の合成ゴム等を用いても良い。内皮と外皮は同じ生地を用いても良いし、異なる生地を用いても良い。
【００２１】
給気バルブ３としては、特に構成は限定されず、ドライスーツで用いられる一般的な給気バルブを用いることができる。給気バルブ３は中圧ホース（図示しない）を接続部（図示しない）に連結することで空気タンク（図示しない）と接続され、バルブ操作により、該空気タンクからの空気を調整器（レギュレーター：図示しない）を介して浮力調整部２に供給することができる。本実施の形態において、ダイバーは手動にて給気バルブ３の操作を行う。
また、排気バルブ４や第２排気バルブ６は、プル式の排気バルブであるが、これに限らず、ドライスーツに用いられる一般的な排気バルブ等を用いることができ、手動排気バルブと手動・自動併用バルブのどちらを使用しても良い。
本実施の形態では、給気バルブ３と排気バルブ４乃至は第２排気バルブ６で空気充填部２ｃの給排気を行っているが、これらの代わりにダイビングインフレーターやオーラルインフレーターを取り付け、給排気を行うようにしても良い。
これら給排気部（給気バルブ３や排気バルブ４，排気バルブ６）が、浮力調整部２の内圧を自動調整できない場合、これらに加え、オーバープレッシャーリリーフバルブを備えても良い。
【００２２】
過膨張防止部８は、保護材７の内周面と、内皮２ｂの外周面の一部を短冊状の吊り具で繋ぐことで形成されている。吊り具８ａの形状はこれに限定されず、素材も保護材７と内皮２ｂに接合させることができれば特に限定されない。
また、過膨張防止部８は、浮力調整部２の過膨張を抑えることができる構成であれば特に限定されず、例えば、外皮２ａ又は内皮２ｂに伸縮性の小さい生地や繊維等を縫製，接着等し、膨張を抑えても良い。
【００２３】
以上のように構成された本実施の形態における潜水着１について、図２及び図３を参照しながら、以下に浮力調整部の形成方法を説明する。
まず、潜水着１本体の浮力調整部２に当たる部分（図１中の波線部で区切られた部分）を外皮２ａとし、外皮２ａの内周面側に内皮２ｂと略同形状に形成された保護材７を貼り付ける。
次に、内皮２ｂに予め一端に形成された接合部８ｂが接合された吊り具８ａの吊り具端部８ｃを、外皮２ａを覆設した保護材７の吊り具接合部７ｄに接着剤等によって接着することで過膨張防止部８を形成する。
次いで、内皮２ｂの外周を保護材７の周囲に接着剤等によって貼り付けることで、外皮２ａと内皮２ｂの間に空気充填部２ｃを備えた浮力調整部２が形成される。
保護材７は給排気のための各バルブ（３，４，６，）と対応する位置に、第１乃至第３開口部（７ａ，７ｂ，７ｃ）が形成されているので、該バルブ（３，４，６）は空気充填部２ｃと連通固定して、浮力調整部２に配設することができる。
ここで、潜水着１の構成はこれに限らず、潜水着１本体で内皮２ｂを構成し、保護材７を内皮２ｂに覆設し、外皮２ａを貼り付けることで浮力調整部２を形成しても良い。
また、吊り具８ａの接合部８ｂは内皮２ｂや保護材７の任意の位置で良く、接着に限定されず、内皮２ｂ及び保護材７の任意の位置に係止部を設け、該係止部に吊り具８ａを係止するように構成しても良い。
【００２４】
以上のように、本実施の形態の潜水着１は構成されているので、以下のような作用が得られる。
（１）外皮２ａの内周面の全面を非通気性の保護材７が覆っているので、浮力の調整により外皮２ａが伸縮を繰返し、外皮２ａの縫製部分が破損した場合も、空気充填部２ｃから浮力調整部２の外部に空気が漏れることを防ぐことができ、製品の信頼性に優れる。
（２）外皮２ａを覆設する保護材７が、外皮２ａよりも伸縮性が無いので、構造的に弱い外皮２ａの縫製部分が必要以上に伸縮することを抑えることができ、外皮２ａの破損を防ぐことができる。
（３）浮力調整部２が過膨張防止部８を備えるので、浮力調整部２の過膨張による急激な浮力の上昇や、空気充填部２ｃの体積が増すことによりダイバーに圧力（負荷）がかかること等を防ぐことができ、安全性に優れる。
（４）浮力調整部２が、潜水着１のわき腹部から腹部，胸部，肩，背中を通って腰部に亘って連続して形成されているので、浮力調整部２の内部に貯留される空気が分散され、水中でバランスや姿勢を保ち易く、使用性に優れるとともに、浮力調整部２が膨張することによってダイバーにかかる負荷も分散され、圧迫感や不快感等を感じ難くすることができる。
（５）外皮２ａが潜水着１の本体と一体形成されているので、浮力調整部２を形成するための材料を少なくすることができ、生産性に優れるとともに、浮力調整部２を備えない潜水着においても、保護材７及び内皮２ｂを配設するだけで浮力調整部２を備えた潜水着１を容易に製造することができる。
（６）保護材７が外皮２ａの内周面の全面に覆設されているので、製造時に潜水着１のデザインによって異なる縫製部分に合わせ、該縫製部分のみに保護材７を覆設する場合よりも保護材７の覆設を容易に行うことができ、生産性に優れるとともに、外皮２ａの縫製部分から保護材７がずれ難いので、歩留まり良く製造することができる。
【産業上の利用可能性】
【００２５】
本考案は、空気充填部を構成する内皮又は外皮の縫製部分が保護材により補強されているので、伸縮を繰り返すことにより該当部分が破損し難く、また、破損した場合にも空気が漏れることなく使用できるとともに、過膨張を防ぐことができるので、急浮上やダイバーへの圧迫等を防止することができる潜水着を提供することができる。
【符号の説明】
【００２６】
１  潜水着
２  浮力調整部
２ａ  外皮
２ｂ  内皮
２ｃ  空気充填部
３  給気バルブ
４  排気バルブ
４ａ  紐部
５  ファスナー
６  第２排気バルブ
６ａ  第２紐部
７  保護材
７ａ  第１開口部
７ｂ  第２開口部
７ｃ  第３開口部
７ｄ  吊り具接合部
８  過膨張防止部
８ａ  吊り具
８ｂ  接合部
８ｃ  吊り具端部
【図１】
0003183652.tif 000003
【図２】
0003183652.tif 000004
【図３】
0003183652.tif 000005